(57)【要約】【課題】塵埃の付着による位置検出不良を防止するスタンド、およびテレビジョン装置を提供する。【解決手段】表示装置を保持するために用いられるスタンドである。スタンドは、ベース部１０と、ベース部に対して回動するとともに、表示装置を保持するサポート部２０とを備える。ベース部が、サポート部の回動位置を示す位置検出板１４を有する。サポート部が、表示装置の表示画面を回動させるために回動可能に構成され、位置検出板を検出する検出部（フォトセンサ５７で例示）と、検出部の周囲を覆い、位置検出板に接触する清掃部材５８とを有する。【選択図】図４
2019028104.tif 000002
【特許請求の範囲】
【請求項１】
表示装置を保持するために用いられるスタンドであって、
該スタンドは、ベース部と、該ベース部に対して回動するとともに、前記表示装置を保持するサポート部とを備え、
前記ベース部が、前記サポート部の回動位置を示す位置検出板を有し、
前記サポート部が、前記表示装置の表示画面を回動させるために回動可能に構成され、前記位置検出板を検出する検出部と、該検出部の周囲を覆い、前記位置検出板に接触する清掃部材とを有することを特徴とするスタンド。
【請求項２】
前記清掃部材が、断面四角形の筒状に形成されていることを特徴とする請求項１に記載のスタンド。
【請求項３】
前記清掃部材が、断面円形の筒状に形成されていることを特徴とする請求項１に記載のスタンド。
【請求項４】
前記清掃部材が、回動する前記サポート部の進行方向に向けて尖るエッジを有した筒状に形成されていることを特徴とする請求項１に記載のスタンド。
【請求項５】
請求項１から４のいずれか一項に記載のスタンドを備えたことを特徴とするテレビジョン装置。
【発明の詳細な説明】
【技術分野】
【０００１】
本発明は、スタンド、およびテレビジョン装置に関し、詳細には、表示装置を保持するために用いられるスタンド、およびテレビジョン装置に関する。
【背景技術】
【０００２】
この種のスタンドは、テレビやモニターなどの薄型の表示装置の例えば下部に取り付けられ、表示装置を保持する。
また、表示装置には、表示画面を視聴者に正対させるために、表示画面の向きを例えば左右に動かす機能（スイベル機能ともいう）が、その表示画面の大小に関わらず求められており、このスイベル機能の有無が需要者の購買判断に大きく影響するともいわれている。
【０００３】
近年、ＩｏＴ（Internet of Things）などの普及により、表示装置を外出先から遠隔操作させることが求められ、表示画面を頻繁に回動させることも可能になる。
表示画面を回動させるために、駆動機構の起動・起動停止が頻繁に行われると、駆動機構と周辺部材との摺動、駆動機構と周辺部材との衝撃、駆動機構や周辺部材の振動によって摩耗粉（以下、塵埃と称する）が生じ、塵埃が駆動機構に付着することがある。あるいは、塵埃が外部から侵入して駆動機構に付着することがある。例えば、特許文献１には、回転駆動に応じて清掃部材がハウジングを清掃する技術が開示されている。
【先行技術文献】
【特許文献】
【０００４】
【特許文献１】特開２０１５−３０３４５号公報
【発明の概要】
【発明が解決しようとする課題】
【０００５】
ところで、駆動機構の位置を例えばフォトセンサと位置検出板を用いて検出するものがある。フォトセンサが駆動機構に設置されており、位置検出板に向けて照射し、位置検出板で反射した光を検出すると、駆動機構の位置を得ることができる。
この場合、位置検出板のうちフォトセンサが光を照射する位置には、障害物を無くす必要がある。しかし、特許文献１に記載の清掃部材は１箇所に集約された刷毛であり、フォトセンサから照射される光を遮ることになる。よって、塵埃の付着による位置検出不良を防止する構成が望まれる。
【０００６】
本発明は、上述のような実情に鑑みてなされたもので、塵埃の付着による位置検出不良を防止するスタンド、およびテレビジョン装置を提供することを目的とする。
【課題を解決するための手段】
【０００７】
上記課題を解決するために、本発明の第１の技術手段は、表示装置を保持するために用いられるスタンドであって、該スタンドは、ベース部と、該ベース部に対して回動するとともに、前記表示装置を保持するサポート部とを備え、前記ベース部が、前記サポート部の回動位置を示す位置検出板を有し、前記サポート部が、前記表示装置の表示画面を回動させるために回動可能に構成され、前記位置検出板を検出する検出部と、該検出部の周囲を覆い、前記位置検出板に接触する清掃部材とを有することを特徴としたものである。
【０００８】
第２の技術手段は、第１の技術手段において、前記清掃部材が、断面四角形の筒状に形成されていることを特徴としたものである。
【０００９】
第３の技術手段は、第１の技術手段において、前記清掃部材が、断面円形の筒状に形成されていることを特徴としたものである。
【００１０】
第４の技術手段は、第１の技術手段において、前記清掃部材が、回動する前記サポート部の進行方向に向けて尖るエッジを有した筒状に形成されていることを特徴としたものである。
【００１１】
第５の技術手段は、第１から４のいずれか１のスタンドを備えたテレビジョン装置であることを特徴としたものである。
【発明の効果】
【００１２】
本発明によれば、清掃部材が検出部の周囲を覆って設けられており、位置検出板のうち検出部に対面する位置への塵埃の侵入を抑制できる。また、清掃部材が位置検出板に付着した塵埃を除去できるので、塵埃の付着による位置検出不良を防止することができる。
【図面の簡単な説明】
【００１３】
【図１】本発明の一実施形態のスタンドを設置した表示装置の斜視図である。
【図２】スタンドの分解斜視図である。
【図３】サポート部およびベース部の外観斜視図である。
【図４】サポート部およびベース部の分解斜視図である。
【図５】清掃部材の外観斜視図である。
【図６】実施形態２，３における清掃部材の外観斜視図である。
【図７】第１，２スライドカバーの外観斜視図である。
【図８】サポート部の背面図である。
【図９】スタンドの動作を説明するための図である。
【発明を実施するための形態】
【００１４】
（実施形態１）
図１は、本発明の一実施形態のスタンドを設置した表示装置の斜視図である。本実施形態のスタンド１は１本脚構造であり、表示装置（例えば薄型のテレビ）２の中央（パネルセンタともいう）の下部に取り付けられている。なお、図１では表示装置２を左斜め後方から見ており、表示装置２の背面３には例えば放熱用の穴４が複数設けられている。
【００１５】
表示装置２は、スタンド１のスイベル機構によって水平方向に回動することにより、表示画面の向きを変更することができる。スタンド１の構成と動作を以下に詳細に説明する。
【００１６】
図２は、スタンドの分解斜視図である。スタンド１は、ベース部（スタンドベースともいう）１０と、サポート部（スタンドサポートともいう）２０とからなる。ベース部１０やサポート部２０は主に例えば樹脂製である。
ベース部１０は、上記パネルセンタに相当する位置に回動支持部材１１を有し、表示装置の正面側、つまり、回動支持部材１１の前方は例えば開口されて枠状に形成され、回動支持部材１１の後方は閉塞されて板状に形成されている。
【００１７】
回動支持部材１１は、例えば円柱状の金属製であり、例えばベース部１０に対して回転できる。なお、図示の回動支持部材１１は、ベース部１０に対して直立して設けられているが、ベース部１０に対して傾斜して設けられていてもよい。また、回動支持部材１１は、表示装置を回動支持可能であれば、固定軸であってもよいし、回動軸を支持する部材であってもよい。
【００１８】
サポート部２０は、回動支持部材１１と一体的に回転可能であり、表示装置２の後方に駆動ユニット３０を有している。
このように、駆動ユニット３０を、ベース部１０ではなく、サポート部２０に設けたため、ベース部１０に対する意匠上の制約を少なくすることできる。また、駆動ユニット３０を表示装置の背面側に設ければ、駆動ユニット３０が表示装置の正面側からは見えにくくなることから、設計を含むデザイン性の高いスタンド付きの表示装置の提供に貢献する。
【００１９】
本実施形態のスタンドは防塵構造である。図３は、サポート部およびベース部の外観斜視図であり、図４は、サポート部およびベース部の分解斜視図である。また、図５は、清掃部材の外観斜視図、図７は、第１スライドカバーおよび第２スライドカバーの外観斜視図であり、図８は、サポート部の背面図である。
【００２０】
図３（Ａ）はサポート部２０やベース部１０を左斜め後方から見ており、ベース部１０は図４に示す可動ギア３８、固定ギア１２や位置検出板１４を収納可能な防塵ボックス１３を有し、防塵ボックス１３は図２で説明した回動支持部材１１の後方に配置される。図４に示すように、防塵ボックス１３は、例えばカップ状で形成され、上方に可動ギア３８や固定ギア１２を受容する上方開口１３ｃを有し、その周囲に側面１３ｂが立設されている。側面１３ｂの下端には、固定ギア１２の脚部１２ａを挿通可能な下面１３ａが設けられている。
【００２１】
固定ギア１２は脚部１２ａの上方に台状部１２ｂを有し、台状部１２ｂの側面には、可動ギア３８に噛み合う歯形が形成されている。台状部１２ｂの上面には位置検出板１４が設置される。位置検出板１４には、例えば中央位置、左１５°の位置、右１５°の位置に相当する位置に、白色や銀色のマークが設けられている。
【００２２】
駆動ユニット３０は、平板状のユニットベース３１を有している。ユニットベース３１は、図３（Ｂ）に示した下面４７が回転支持部材１１の上面に例えば直に連結されており、回転支持部材１１と一体的に回転できる。一方、ユニットベース３１の上面４５には、図１で説明した表示画面２を固定できる。
図３（Ａ），（Ｂ）や図８に示すように、ユニットベース３１には、上面４５と下面４７を貫通して設けられた曲線状のスライドカバー用の開口４６が設けられ、図４や図７に示す第１スライドカバー６０の上向き突起６４、第２スライドカバー７０の上向き突起７４を例えば下方から受け入れ可能である。
【００２３】
図８に示すように、ユニットベース３１は、スライドカバー用の開口４６の後側に、矩形状のフォトセンサ用の開口４７ａを有している。この開口４７ａも上面４５と下面４７を貫通して形成されている。また、フォトセンサ用の開口４７ａの左右両側には、ハーフパンチ部４８、４９が設けられる。ハーフパンチ部４８は、図８で見てフォトセンサ用の開口４７ａの右側に位置し、ユニットベース３１の下面４７から下方に向けて突出しており、第１スライドカバー６０の開口６３の端部に当接可能である。ハーフパンチ部４９は、図８で見てフォトセンサ用の開口４７ａの左側に位置し、ユニットベース３１の下面４７から下方に向けて突出し、第２スライドカバー７０の開口７３の端部に当接可能である。
【００２４】
図４に示すように、駆動軸３９は電動モータ３３に対して回転自在に支持されている。電動モータ３３は、ユニットベース３１に例えばネジで固定されている。電動モータ３３は、その回転量・回転方向・回転速度が制御可能な例えばＡＣサーボモータなどであり、制御部（図示省略）からの駆動信号に基づいて、駆動軸３９を正逆転可能である。
駆動軸３９の下端には可動ギア３８が設けられ、ユニットベース３１の下方で固定ギア１２に噛み合っている。電動モータ３３は、略筒状のばねガイドリング５０を用いてユニットベース３１の上面４５に固定される。
【００２５】
ばねガイドリング５０は、内面で電動モータ３３を案内し、外面で引張りばね５５を案内する案内部５３を有し、案内部５３の中央には、駆動軸３９を挿通させる中央孔（図示省略）が形成されている。案内部５３の前側には、ユニットベース３１の上面４５に例えばネジで固定するための固定部５２が設けられ、案内部５３の後側には、プリント基板５６を下方に押える押圧部５４が設けられている。
【００２６】
引張りばね５５は、２分割された第１，２スライドカバー６０，７０の位置を戻すためのものであり、引張りばね５５の一端は第１スライドカバー６０の上向き突起６４に、他端は第２スライドカバー７０の上向き突起７４にそれぞれ取り付けられる。
プリント基板５６は、裏面の中央にフォトセンサ５７を設置し、ばねガイドリング５０の押圧部５４に上方から押さえられて、ユニットベース３１の上面４５に固定される。なお、フォトセンサ５７が本発明の検出部に相当する。
【００２７】
図４や図８に示すように、フォトセンサ５７の周囲には、清掃部材５８が設置される。具体的には、図５に示すように、清掃部材５８は、例えばゴム製であり、断面四角形の筒状に形成される。前面５８ａがフォトセンサ５７の前方を、後面５８ｂがフォトセンサ５７の後方を覆い、側面５８ｃ，５８ｄでフォトセンサ５７の側方を覆っている。上端５８ｅをプリント基板５６に取り付けると（接着させてもよい）、前面５８ａ、後面５８ｂ、側面５８ｃ，５８ｄの下端が位置検出板１４のマークを設けた面にそれぞれ接触する。
【００２８】
（実施形態２）
図５では、角筒状の清掃部材５８の例を挙げて説明した。しかし、本発明はこの例に限定されない。例えば、図６（Ａ）に示すような、断面円形の筒状に形成された清掃部材５８でもよい。この場合、湾曲した周面５８ｆを有するので、角筒状の清掃部材に比べて、位置検出板１４に付着した塵埃を前後方向に排出しやすくなる。また、汎用の製品を利用でき、清掃部材の製造が容易になる。
（実施形態３）
あるいは、図６（Ｂ）に示すように、ユニットベース３１の進行方向に向けて尖るエッジ５８ｇを有した清掃部材５８であってもよい。この場合、エッジ５８ｇが側面５８ｃの間や、側面５８ｄの間にそれぞれ設けられており、ユニットベース３１の周方向への進行に伴って、位置検出板１４に付着した塵埃を掻き分けることができる。
【００２９】
フォトセンサ５７は下方に位置する位置検出板１４に向けて光を照射でき、位置検出板１４の白色や銀色の各マークで反射した光をフォトセンサ５７で検出することにより、駆動ユニット３０の回動位置を得ることができる。
第１スライドカバー６０は平面視で左側に、第２スライドカバー７０は平面視で右側にそれぞれ配置され、ユニットベース３１の回動にそれぞれ連動可能である。
【００３０】
図７（Ａ）に示すように、第１スライドカバー６０は、図４で説明した防塵ボックス１３の上方開口１３ｃに覆い被さる水平面部６１を有し、上向き突起６４は水平面部６１の上面から上方に向けて突出し、引張りばね５５の端部を保持できる。上向き突起６４の前側には、駆動軸３９を受容するための駆動軸用の開口６２が曲線状で設けられ、上向き突起６４の後側には、フォトセンサ５７を受容するためのフォトセンサ用の開口６３が曲線状で設けられている。
【００３１】
第１スライドカバー６０はユニットベース３１の下方に配置され、上向き突起６４を、ユニットベース３１の下方からスライドカバー用の開口４６に遊嵌させて、ユニットベース３１の上方に突出させる。
また、図７（Ｂ）に示すように、第１スライドカバー６０はＬ字状の下向き突片６５を有している。下向き突片６５は、水平面部６１の前端から側端にかけて形成され、水平面部６１から下方に突出しており、図３（Ｂ）に示したように、防塵ボックス１３の側面１３ｂに接触可能に形成されている。
【００３２】
第２スライドカバー７０も、第１スライドカバー６０と同様に、防塵ボックス１３の上方開口１３ｃに覆い被さる水平面部７１を有する。上向き突起７４は水平面部７１の上面から上方に向けて突出している。上向き突起７４の前側には、駆動軸３９を通すための駆動軸用の開口７２が曲線状で設けられ、上向き突起７４の後側には、フォトセンサ５７を受容するためのフォトセンサ用の開口７３が曲線状で設けられている。第２スライドカバー７０もユニットベース３１の下方に配置され、上向き突起７４はスライドカバー用の開口４６に遊嵌する。
【００３３】
また、図７（Ｂ）に示すように、第２スライドカバー７０も、水平面部７１の前端から側端にかけて形成されたＬ字状の下向き突片７５を有し、防塵ボックス１３の側面１３ｂに接触可能である。
【００３４】
図９は、スタンドの動作を説明するための図である。なお、図９では、ユニットベース３１と第１，２スライドカバー６０，７０との関係を説明するために、表示装置や防塵ボックス１３、引張りばね５５などを省略している。
可動ギア３８が固定ギア１２のほぼ中央に位置し、表示装置の表示画面が真正面を向いていた状態において、電動モータ３３の駆動に伴って駆動軸３９が平面視で例えば時計回りに回転し始めると、ユニットベース３１の一端（図９（Ａ）で見たユニットベース３１の左端）が前方に向けて移動（回動）を開始する。
【００３５】
ユニットベース３１の一端が回動を開始すると、清掃部材５８が位置検出板１４に付着した塵埃を除去する。ユニットベース３１の一端が回動を開始した後、図９（Ｂ）に示すように、ユニットベース３１のハーフパンチ部４８が第１スライドカバー６０のフォトセンサ用の開口６３の端部に接触すると、第１スライドカバー６０の下向き突片６５と防塵ボックス１３の側面１３ｂとの接触が解かれる。そして、第１スライドカバー６０は、引張りばね５５の付勢力に抗して、防塵ボックス１３の上方開口１３ｃを覆いつつ、ユニットベース３１と共に回動を開始する。
【００３６】
一方、第１スライドカバー６０がユニットベース３１の回動に連動して防塵ボックス１３の上方開口１３ｃを覆う際に、第２スライドカバー７０の下向き突片７５と防塵ボックス１３の側面１３ｂとの接触は解かれないため、図９（Ｂ）に示すように第１スライドカバー６０がユニットベース３１と共に回動しても、第２スライドカバー７０は、回動せずに、防塵ボックス１３の上方開口１３ｃを覆い続ける。
そして、駆動軸３９が平面視で例えば時計回りに回転すると、図９（Ａ）に示すように、ユニットベース３１の左端が回動するので、表示画面の向きが左向きに変更される。
【００３７】
その後、フォトセンサ５７の検出結果に基づき、駆動軸３９が平面視で例えば反時計回りに回転した場合、ユニットベース３１の一端（図９（Ａ）で見たユニットベース３１の右端）が前方に向けて移動（回動）を開始する。
ユニットベース３１の一端が回動を開始すると、清掃部材５８が位置検出板１４に付着した塵埃を除去する。ユニットベース３１の一端が回動を開始した後、ハーフパンチ部４８とフォトセンサ用の開口６３の端部との接触が解かれると、第１スライドカバー６０は、引張りばね５５の付勢力によって、防塵ボックス１３の上方開口１３ｃを覆いつつ、下向き突片６５が防塵ボックス１３の側面１３ｂに接触するまで、第２スライドカバー７０に向けて移動する。
【００３８】
このように、ユニットベース３１には、防塵ボックス１３の上方開口１３ｃを覆う第１，２スライドカバー６０，７０が設置されているので、防塵ボックス１３内への塵埃の侵入を防止することができる。
また、清掃部材５８がフォトセンサ５７の周囲を覆って設けられており、位置検出板１４のうちフォトセンサ５７に対面する位置への塵埃の侵入を抑制できる。また、清掃部材５８が位置検出板１４に付着した塵埃を除去できるので、塵埃の付着による位置検出不良を防止することができる。
【００３９】
さらに、図９に示した動作で説明すれば、ユニットベース３１の回動に遅れて連動する第１スライドカバー６０と、ユニットベース３１の回動に連動しない第２スライドカバー７０とに分割されていることから、第１，２スライドカバー６０，７０を一体形成した場合に比べてユニットベース３１の幅（左右方向の長さ）を短くすることができ、駆動ユニット３０の小型化を達成することができる。
【符号の説明】
【００４０】
１…スタンド、２…表示装置、３…背面、４…穴、１０…ベース部、１１…回動支持部材、１２…固定ギア、１２ａ…脚部、１２ｂ…台状部、１３…防塵ボックス、１３ａ…下面、１３ｂ…側面、１３ｃ…上方開口、１４…位置検出板、２０…サポート部、３０…駆動ユニット、３１…ユニットベース、３３…電動モータ、３８…可動ギア、３９…駆動軸、４５…上面、４６…スライドカバー用の開口、４７…下面、４７ａ…フォトセンサ用の開口、４８，４９…ハーフパンチ部、５０…ばねガイドリング、５２…固定部、５３…案内部、５４…押圧部、５５…引張りばね、５６…プリント基板、５７…フォトセンサ、５８…清掃部材、５８ａ…前面、５８ｂ…後面、５８ｃ，５８ｄ…側面、５８ｅ…上端、５８ｆ…周面、５８ｇ…エッジ、６０…第１スライドカバー、６１，７１…水平面部、６２，７２…駆動軸用の開口、６３，７３…フォトセンサ用の開口、６４，７４…上向き突起、６５，７５…下向き突片、７０…第２スライドカバー。
【図１】
2019028104.tif 000003
【図２】
2019028104.tif 000004
【図３】
2019028104.tif 000005
【図４】
2019028104.tif 000006
【図５】
2019028104.tif 000007
【図６】
2019028104.tif 000008
【図７】
2019028104.tif 000009
【図８】
2019028104.tif 000010
【図９】
2019028104.tif 000011